(57)【要約】【課題】一般ユーザによるアクセスが容易ではないレジ店員スペースに配置されていることがあるタバコパックなどの店頭販売商品でも購入を簡単かつ迅速とし、かつ、その場合のユーザ行動履歴もデータ収集して分析できるデータ処理システムを提供する。【解決手段】レジ店員スペースのディスプレイパネル４０１に複数種類の店頭販売商品等を画像表示させ、ユーザ携帯端末１００のユーザ入力操作に対応して画像表示されている店頭販売商品等を自在に選定させ、これをユーザ行動履歴ＹＭＲとして記録して収集する。このため、一般ユーザは自身のユーザ携帯端末１００のユーザ入力操作でディスプレイパネル４０１に画像表示されている店頭販売商品等を自在に選定することができる。しかも、一般的な販売履歴データだけでは不可能なユーザ行動履歴ＹＭＲまでデータ収集することができる。【選択図】図１
2010170228.tif 000002
【特許請求の範囲】
【請求項１】
複数のサプライチェーン店舗に個々に設置されて各種の店頭販売商品を商品ＩＤデータで売買決済処理する販売処理装置を有して一般ユーザに所持されているユーザ携帯端末と無線通信するデータ処理システムであって、
前記サプライチェーン店舗のレジ店員スペースに設置されて前記一般ユーザの要望により店舗作業員が取得する前記店頭販売商品を商品収容位置ごとに取得自在に収容する店頭収容ラックと、
少なくとも前記店頭収容ラックに収容されている前記店頭販売商品を記憶する収容記憶部と、
前記レジ店員スペースに設置されて前記一般ユーザに表示画像が視認される画像表示デバイスと、
前記店頭収容ラックに収容されている複数種類の前記店頭販売商品を前記画像表示デバイスに画像表示させる商品表示部と、
前記ユーザ携帯端末のユーザ入力操作に対応して前記画像表示デバイスに画像表示されている前記店頭販売商品を自在に選定する商品選定部と、
一人の前記一般ユーザのユーザ入力操作による前記ユーザ携帯端末の前記画像表示デバイスとの少なくとも前記無線通信の開始から前記店頭販売商品の選定までを一つのユーザ行動履歴として記録する履歴記録部と、
複数の前記サプライチェーン店舗で任意に記録された前記ユーザ行動履歴をデータ収集する記録収集部と、
を有するデータ処理システム。
【請求項２】
前記履歴記録部は、前記ユーザ携帯端末の前記画像表示デバイスに画像表示されている前記店頭販売商品を選定する過程の上下左右の移動経路も前記ユーザ行動履歴に記録する請求項１に記載のデータ処理システム。
【請求項３】
前記記録収集部は、前記ユーザ行動履歴に記録された前記画像表示デバイスでの前記移動経路を複数種類の前記店頭販売商品の表示画像と関連させてデータ収集する請求項２に記載のデータ処理システム。
【請求項４】
前記収容記憶部は、前記店頭収容ラックの複数種類の前記店頭販売商品と複数の前記商品収容位置との収容対応関係を記憶し、
前記商品表示部は、記憶されている前記収容対応関係により複数種類の前記店頭販売商品を前記商品収容位置に対応して前記画像表示デバイスに画像表示させる請求項３に記載のデータ処理システム。
【請求項５】
前記ユーザ携帯端末のユーザ入力操作に対応して前記画像表示デバイスで選定されている前記店頭販売商品を確定する商品確定部を、さらに有し、
前記履歴記録部は、前記店頭販売商品の確定も前記ユーザ行動履歴に記録する請求項１ないし４の何れか一項に記載のデータ処理システム。
【請求項６】
前記商品確定部は、前記ユーザ携帯端末のユーザ入力操作に対応して前記店頭販売商品の確定のキャンセルも受け付け、
前記履歴記録部は、前記確定のキャンセルも前記ユーザ行動履歴に記録する請求項５に記載のデータ処理システム。
【請求項７】
確定された前記店頭販売商品の売買決済処理を実行する決済制御部を、さらに有し、
前記履歴記録部は、前記売買決済処理も前記ユーザ行動履歴に記録する請求項５または６に記載のデータ処理システム。
【請求項８】
前記決済制御部は、前記ユーザ携帯端末に形成されていて確定された前記店頭販売商品の前記売買決済処理を実行し、
前記ユーザ携帯端末は、完了された前記売買決済処理を前記履歴記録部まで通知する決済送信部を、さらに有する請求項５ないし７の何れか一項に記載のデータ処理システム。
【請求項９】
各種の前記店頭販売商品の前記売買決済処理を実行する販売処理装置が前記レジ店員スペースに設置されており、
前記決済制御部は、前記販売処理装置と無線通信して確定された前記店頭販売商品の前記売買決済処理を実行させ、
前記履歴記録部は、前記販売処理装置で完了された前記売買決済処理も前記ユーザ行動履歴に記録する請求項５ないし７の何れか一項に記載のデータ処理システム。
【請求項１０】
各種の前記店頭販売商品の前記売買決済処理を実行する販売処理装置が前記レジ店員スペースに設置されており、
前記決済制御部は、前記販売処理装置に形成されていて前記画像表示デバイスで確定された前記店頭販売商品の前記売買決済処理を実行し、
前記履歴記録部は、前記販売処理装置で完了された前記売買決済処理も前記ユーザ行動履歴に記録する請求項５ないし７の何れか一項に記載のデータ処理システム。
【請求項１１】
前記ユーザ携帯端末は、上下左右のユーザ入力操作を受け付ける縦横操作部と、
前記縦横操作部のユーザ入力操作に対応して画像表示されている前記店頭販売商品の選定部位を上下左右に移動させる選定移動信号を前記画像表示デバイスに無線送信する選定送信部と、
選定されている前記店頭販売商品を確定するユーザ入力操作を受け付ける確定操作部と、
前記確定操作部のユーザ入力操作に対応して選定されている前記店頭販売商品を確定する商品確定信号を前記画像表示デバイスに無線送信する確定送信部とを、
さらに有する請求項１ないし１０の何れか一項に記載のデータ処理システム。
【請求項１２】
前記商品表示部は、複数種類の前記店頭販売商品を上下左右に配列させて前記画像表示デバイスに画像表示させ、
前記商品選定部は、前記ユーザ携帯端末から無線受信する前記選定移動信号により前記画像表示デバイスに画像表示されている前記店頭販売商品を選定し、
前記商品確定部は、前記ユーザ携帯端末から無線受信する前記商品確定信号により前記画像表示デバイスで選定されている前記店頭販売商品を確定する請求項１１に記載のデータ処理システム。
【請求項１３】
前記ユーザ携帯端末と前記画像表示デバイスとに赤外線で無線通信する赤外線通信ユニットが搭載されており、
前記商品選定部と前記商品確定部とが前記画像表示デバイスに形成されていて前記ユーザ携帯端末と赤外線通信する請求項１ないし１２の何れか一項に記載のデータ処理システム。
【請求項１４】
複数種類の前記店頭販売商品の少なくとも一部とともに関連する前記店頭販売商品の宣伝画像データを記憶する宣伝記憶部と、
確定された前記店頭販売商品とともに記憶されている前記宣伝画像データを選出する宣伝選出部と、
選出された前記宣伝画像データを確定された前記店頭販売商品とともに前記画像表示デバイスに表示出力させる宣伝表示部とを、
さらに有する請求項１ないし１３の何れか一項に記載のデータ処理システム。
【請求項１５】
前記店頭収容ラックに形成されていて確定された前記店頭販売商品の前記商品収容位置を報知出力する収容報知部を、さらに有する請求項１ないし１３の何れか一項に記載のデータ処理システム。
【請求項１６】
前記販売処理装置は、前記店頭販売商品の売買決済処理に対応して販売履歴データを生成し、
前記サプライチェーン店舗の店舗バックヤードなどに設置されて生成された前記販売履歴データを取得する店舗サーバ装置を、さらに有し、
前記店舗サーバ装置は、前記収容記憶部と前記商品表示部と前記商品選定部と前記履歴記録部との少なくとも一部を有する請求項１ないし１５の何れか一項に記載のデータ処理システム。
【請求項１７】
前記店頭収容ラックは、前記収容記憶部と前記商品表示部と前記商品選定部と前記履歴記録部との少なくとも一部を有する請求項１ないし１５の何れか一項に記載のデータ処理システム。
【請求項１８】
前記販売処理装置は、前記収容記憶部と前記商品表示部と前記商品選定部と前記履歴記録部との少なくとも一部を有する請求項１ないし１５の何れか一項に記載のデータ処理システム。
【請求項１９】
前記レジ店員スペースでの前記販売処理装置の近傍で前記一般ユーザに視認される位置に設置される画像表示装置を、さらに有し、
前記画像表示装置は、前記収容記憶部と前記商品表示部と前記商品選定部と前記履歴記録部との少なくとも一部と前記画像表示デバイスとを有する請求項１ないし１５の何れか一項に記載のデータ処理システム。
【請求項２０】
請求項１６に記載のデータ処理システムの前記店舗サーバ装置であって、
前記収容記憶部と前記商品表示部と前記商品選定部と前記履歴記録部との少なくとも一部を有する店舗サーバ装置。
【請求項２１】
請求項１７に記載のデータ処理システムの前記店頭収容ラックであって、
前記収容記憶部と前記商品表示部と前記商品選定部と前記履歴記録部との少なくとも一部を有する店頭収容ラック。
【請求項２２】
請求項１８に記載のデータ処理システムの前記販売処理装置であって、
前記収容記憶部と前記商品表示部と前記商品選定部と前記履歴記録部との少なくとも一部を有する販売処理装置。
【請求項２３】
請求項１９に記載のデータ処理システムの前記画像表示装置であって、
前記収容記憶部と前記商品表示部と前記商品選定部と前記履歴記録部との少なくとも一部と前記画像表示デバイスとを有する画像表示装置。
【請求項２４】
請求項２０に記載の店舗サーバ装置と請求項２１に記載の店頭収容ラックと請求項２２に記載の販売処理装置と請求項２３に記載の画像表示装置との少なくとも一個のコンピュータプログラムであって、
少なくとも前記店頭収容ラックに収容されている前記店頭販売商品を記憶する収容記憶処理と、
前記店頭収容ラックに収容されている複数種類の前記店頭販売商品を前記画像表示デバイスに画像表示させる商品表示処理と、
前記ユーザ携帯端末のユーザ入力操作に対応して前記画像表示デバイスに画像表示されている前記店頭販売商品を自在に選定する商品選定処理と、
一人の前記一般ユーザのユーザ入力操作による前記ユーザ携帯端末の前記画像表示デバイスとの少なくとも前記無線通信の開始から前記店頭販売商品の選定までを一つのユーザ行動履歴として記録する履歴記録処理と、
の少なくとも一部を前記店舗サーバ装置と前記店頭収容ラックと前記販売処理装置と前記画像表示装置との少なくとも一個に実行させるコンピュータプログラム。
【請求項２５】
請求項２０に記載の店舗サーバ装置と請求項２１に記載の店頭収容ラックと請求項２２に記載の販売処理装置と請求項２３に記載の画像表示装置との少なくとも一個のデータ処理方法であって、
少なくとも前記店頭収容ラックに収容されている前記店頭販売商品を記憶する収容記憶動作と、
前記店頭収容ラックに収容されている複数種類の前記店頭販売商品を前記画像表示デバイスに画像表示させる商品表示動作と、
前記ユーザ携帯端末のユーザ入力操作に対応して前記画像表示デバイスに画像表示されている前記店頭販売商品を自在に選定する商品選定動作と、
一人の前記一般ユーザのユーザ入力操作による前記ユーザ携帯端末の前記画像表示デバイスとの少なくとも前記無線通信の開始から前記店頭販売商品の選定までを一つのユーザ行動履歴として記録する履歴記録動作と、
の少なくとも一部を前記店舗サーバ装置と前記店頭収容ラックと前記販売処理装置と前記画像表示装置との少なくとも一個に実行させるデータ処理方法。
【発明の詳細な説明】
【技術分野】
【０００１】
本発明は、店頭販売商品を一般ユーザに販売するサプライチェーン店舗で利用されるデータ処理システム、その店舗サーバ装置および店頭収容ラックおよび販売処理装置および画像表示装置、そのコンピュータプログラムおよびデータ処理方法、に関する。
【背景技術】
【０００２】
現在、いわゆる携帯電話やＰＤＡ(Personal Digital Assistance)などのユーザ携帯端末が、多数の一般ユーザに普及している。このようなユーザ携帯端末は、高機能化および多機能化が日々進んでおり、例えば、いわゆるクレジットカードと同様に機能したり、いわゆる電子マネーを保持することで、売買決済処理を実行できるものがある。
【０００３】
現在、いわゆるコンビニエンスストアなどのサプライチェーン店舗では、いわゆる什器や商品在庫ラックなどに様々な店頭販売商品が陳列されて販売されている。さらに、上述のようなサプライチェーン店舗では、いわゆるＰＯＳ(Point Of Sales)端末や電子キャッシュレジスタなどと呼称される販売処理装置が設置されている。
【０００４】
この販売処理装置は、店頭販売商品を付与されている商品ＩＤデータで売買決済処理して販売履歴データを生成する。より具体的には、一般的な販売処理装置は、キーボードユニットやバーコードリーダを有する。
【０００５】
一方、店頭販売商品には商品ＩＤデータであるＪＡＮ(Japanese Article Number)コードが、バーコード画像および数列テキストとして表記されている。そこで、そのバーコード画像をバーコードリーダに光学読取させたり、数列テキストをキーボードユニットに入力操作することで、商品ＩＤデータが販売処理装置に入力されて売買決済処理される。
【０００６】
一般的なサプライチェーン店舗では、いわゆる商品売場に什器や商品在庫ラックが設置されており、いわゆるレジ店員スペースに販売処理装置が設置されている。そこで、一般ユーザは所望の店頭販売商品を什器や商品在庫ラックから取得してレジ店員スペースまで移送する。
【０００７】
しかし、例えば、タバコパックなどはコンビニエンスストアのユーザ移動スペースの商品収容ラックには収容されず、レジ店員スペースの後方の商品収容ラックに収容されていることが多々ある。
【０００８】
このような場合、一般ユーザが所望のタバコパックを購入するためには、その呼称を店舗作業員に口頭で伝達し、商品収容ラックから取得してもらう必要がある。しかし、これでは一般ユーザも店舗作業員も煩雑である。
【０００９】
そこで、顧客側の表示器にタッチパネルを備え、顧客側表示器のタッチパネルからもオペレータ側表示器のタッチパネルからも同時に商品入力することを可能とする２画面入力ＰＯＳシステムも提案されている。
【００１０】
そのＰＯＳシステムでは、オペレータ側表示器（タッチパネル付き）、顧客側表示器（タッチパネル付き）を備え、コンビニエンスストアなどで扱われている顧客がオペレータへ口頭で注文する商品で複数の種類が存在する商品（例：おでん）が注文された場合、それに属する商品を検索し、商品のメニューを顧客側表示器のタッチパネルとオペレータ側表示器のタッチパネルに表示する手段を用いて、オペレータ側で行う売り上げ入力作業と並行して、顧客自身が顧客側表示器から商品選択（タッチ入力）する(例えば、特許文献１参照)。
【００１１】
なお、店頭販売商品には商品ＩＤデータであるＪＡＮ(Japanese Article Number)コードが、バーコード画像および数列テキストに格納されている。そこで、そのバーコード画像をバーコードリーダに光学読取させたり、数列テキストをキーボードユニットに入力操作することで、商品ＩＤデータが販売処理装置に入力されて売買決済処理される。
【００１２】
すると、いわゆるＰＯＳシステムでは、上述のように店頭販売商品が売買決済処理されるごとに販売履歴データが生成されてデータ収集される。このため、複数のサプライチェーン店舗からデータ収集された膨大な販売履歴データを分析することにより、例えば、販売戦略の効果的な立案などを実現することが可能となる。
【００１３】
例えば、相互に関連しない各種の小売店舗での販売履歴データを統合的に分析できるようにするデータ処理システムの提案がある。そのデータ処理システムでは、販売商品を購入する一般顧客の顧客識別データが店舗端末装置から販売履歴データとともにデータ処理装置までデータ送信されてデータ管理され、このデータ処理装置で複数の顧客識別データに共通する複数の販売履歴データの相関パターンがデータ検出される。
【００１４】
このため、ある販売商品Ａを購入する一般顧客は、他の販売商品Ｂも購入する可能性が高いなどのことが検出される。顧客識別データは一般顧客を個人的に特定できる個人データとは無関係にデータ発行できるので、個人データの漏洩を確実に防止することができ、一般顧客に積極的に顧客識別データを利用させることができる(例えば、特許文献２参照)。
【００１５】
また、対象となる商品を購入する可能性の高い顧客に関する情報を得て、情報を得た顧客全員に対し、顧客にとって商品購入が容易である販売店から接触することにより、商品の販売促進を図るデータ処理システムの提案もある。
【００１６】
そのデータ処理システムは、顧客の氏名、住所および購入対象商品を含む顧客情報を格納する顧客情報格納手段と、商品販売店の名称および住所を含む情報を格納する販売店情報格納手段と、販売店情報格納手段に格納された情報と顧客情報格納手段に格納された情報に基づいて所定条件に一致する販売店を選択し、選択した販売店を顧客と接触する販売店として指定する販売店指定手段と、前記指定された販売店に当該顧客情報を配信する顧客情報配信手段と、を備える(例えば、特許文献３参照)。
【００１７】
さらに、ウェブページにおいて、複数の販売店における販売条件の比較を容易とし、さらに詳細な商品情報を提供するデータ処理システムの提案もある。このデータ処理システムでは、その情報検索を行なった利用者の個人情報を収集し、蓄積し、検索できるようにする。
【００１８】
つまり、上述のデータ処理システムは、商品ごとに、その商品を販売している各店舗の情報であって、各店舗における前記商品の販売に係わる所定情報を含む販売店情報を記憶する販売店情報記憶手段と、その販売店情報を検索する販売店情報検索手段と、検索条件に適合する店舗の順にその商品を販売している各店舗の情報を検索要求元のノードに出力する販売店情報出力手段と、店舗を選択してその商品の詳細商品情報の発送を依頼する信号が入力された場合に、検索要求を行なった者の個人情報の入力を受け付け、詳細商品情報とＩＤを発送する処理を行なう発送処理手段とを有する(例えば、特許文献４参照)。
【先行技術文献】
【特許文献】
【００１９】
【特許文献１】特開２００１−３３８３４５号公報
【特許文献２】特開２００２−１９００６６号公報
【特許文献３】特開２００１−３４４４９６号公報
【特許文献４】特開２００２−０９２４４９号公報
【発明の概要】
【発明が解決しようとする課題】
【００２０】
しかし、現在は様々な商品が多品種となっており、上述したタバコパックなどの店頭販売商品も例外ではない。このため、タバコパックなどの店頭販売商品の品種も頻繁に増加しており、これに対応して店頭収容ラックの商品収容位置の個数も増大している。
【００２１】
しかも、上述のように店頭販売商品に新製品が頻繁に追加されるため、店頭収容ラックの商品収容位置に収容される店頭販売商品の位置も頻繁に変更されることになる。一方、いわゆるコンビニエンスストアなどのサプライチェーン店舗では、その店舗作業員は日々交代するアルバイト店員であることが多々ある。
【００２２】
このため、今日の巨大な店頭収容ラックの膨大な商品収容位置から、一般ユーザが所望する店頭販売商品をアルバイトなどの店舗作業員が即座に発見することは、非常に困難である。
【００２３】
特に、タバコパックなどの店頭販売商品では、「××」「××ライト」「××メンソール」などのように、共通ブランドでの多様化が進行している。当然ながら、このようなタバコパックはフェイス画像などと呼称される製品前面画像も類似している。
【００２４】
このため、一般ユーザが「××ライト」を所望しているのに店舗作業員が「××メンソール」と錯誤するようなことが多発する。このようなことが多発すると、店頭収容ラックに店頭販売商品が収容されていても、一般ユーザを大幅に待たせることになり、店舗作業員も煩雑な作業を強いられることになる。
【００２５】
一方、上述のような作業のために一人の一般ユーザが店舗作業員を占有することは、他の一般ユーザに迷惑となる。このため、一般ユーザは自身で気楽に所望の店頭販売商品を選定して決済したいとの要望がある。
【００２６】
さらに、前述のように従来のＰＯＳシステムでは、店頭販売商品の販売履歴データを記録してデータ収集することにより、一般ユーザの行動を推測して販売戦略の立案などに利用している。
【００２７】
しかし、店頭販売商品の販売履歴データによるデータマイニングには限界があり、例えば、店頭販売商品を購入しようとして途中で断念した一般ユーザの行動などはデータ収集することができない。
【００２８】
また、店頭販売商品が販売されて販売履歴データが生成された場合でも、その店頭販売商品と比較検討された店頭販売商品などをデータ収集することもできない。さらに、どのような検討結果として、その店頭販売商品を一般ユーザが購入したのか、などをデータ収集することもできない。
【００２９】
このため、店頭販売商品の販売履歴データを利用した一般ユーザのデータマイニングによる販売戦略の立案は限界がきており、より一般ユーザの行動を反映したデータ収集が要望されている。
【００３０】
本発明は上述のような課題に鑑みてなされたものであり、店頭販売商品を購入しようとして途中で断念した一般ユーザの行動などまでデータ収集することができるデータ処理システムを提供するものである。
【課題を解決するための手段】
【００３１】
本発明のデータ処理システムは、複数のサプライチェーン店舗に個々に設置されて各種の店頭販売商品を商品ＩＤデータで売買決済処理する販売処理装置を有して一般ユーザに所持されているユーザ携帯端末と無線通信するデータ処理システムであって、サプライチェーン店舗のレジ店員スペースに設置されて一般ユーザの要望により店舗作業員が取得する店頭販売商品を商品収容位置ごとに取得自在に収容する店頭収容ラックと、少なくとも店頭収容ラックに収容されている店頭販売商品を記憶する収容記憶部と、レジ店員スペースに設置されて一般ユーザに表示画像が視認される画像表示デバイスと、店頭収容ラックに収容されている複数種類の店頭販売商品を画像表示デバイスに画像表示させる商品表示部と、ユーザ携帯端末のユーザ入力操作に対応して画像表示デバイスに画像表示されている店頭販売商品を自在に選定する商品選定部と、一人の一般ユーザのユーザ入力操作によるユーザ携帯端末の画像表示デバイスとの少なくとも無線通信の開始から店頭販売商品の選定までを一つのユーザ行動履歴として記録する履歴記録部と、複数のサプライチェーン店舗で任意に記録されたユーザ行動履歴をデータ収集する記録収集部と、を有する。
【００３２】
従って、本発明のデータ処理システムでは、サプライチェーン店舗のレジ店員スペースに設置される店頭収容ラックが一般ユーザの要望により店舗作業員が取得する店頭販売商品を商品収容位置ごとに取得自在に収容し、少なくとも店頭収容ラックに収容されている店頭販売商品を収容記憶部が記憶する。表示画像が一般ユーザに視認される画像表示デバイスがレジ店員スペースに設置され、その画像表示デバイスに商品表示部が店頭収容ラックに収容されている複数種類の店頭販売商品を画像表示させる。ユーザ携帯端末のユーザ入力操作に対応して画像表示デバイスに画像表示されている店頭販売商品を商品選定部が自在に選定する。ただし、一人の一般ユーザのユーザ入力操作によるユーザ携帯端末の画像表示デバイスとの少なくとも無線通信の開始から店頭販売商品の選定までを一つのユーザ行動履歴として履歴記録部が記録する。そして、複数のサプライチェーン店舗で任意に記録されたユーザ行動履歴を記録収集部がデータ収集する。このため、一般ユーザは自身のユーザ携帯端末のユーザ入力操作で画像表示デバイスに画像表示されている店頭販売商品を自在に選定することができる。しかも、一般的な販売履歴データだけでは不可能なユーザ行動履歴までデータ収集される。
【００３３】
また、上述のようなデータ処理システムにおいて、履歴記録部は、ユーザ携帯端末の画像表示デバイスに画像表示されている店頭販売商品を選定する過程の上下左右の移動経路もユーザ行動履歴に記録してもよい。
【００３４】
また、上述のようなデータ処理システムにおいて、記録収集部は、ユーザ行動履歴に記録された画像表示デバイスでの移動経路を複数種類の店頭販売商品の表示画像と関連させてデータ収集してもよい。
【００３５】
また、上述のようなデータ処理システムにおいて、収容記憶部は、店頭収容ラックの複数種類の店頭販売商品と複数の商品収容位置との収容対応関係を記憶し、商品表示部は、記憶されている収容対応関係により複数種類の店頭販売商品を商品収容位置に対応して画像表示デバイスに画像表示させてもよい。
【００３６】
また、上述のようなデータ処理システムにおいて、ユーザ携帯端末のユーザ入力操作に対応して画像表示デバイスで選定されている店頭販売商品を確定する商品確定部を、さらに有し、履歴記録部は、店頭販売商品の確定もユーザ行動履歴に記録してもよい。
【００３７】
また、上述のようなデータ処理システムにおいて、商品確定部は、ユーザ携帯端末のユーザ入力操作に対応して店頭販売商品の確定のキャンセルも受け付け、履歴記録部は、確定のキャンセルもユーザ行動履歴に記録してもよい。
【００３８】
また、上述のようなデータ処理システムにおいて、確定された店頭販売商品の売買決済処理を実行する決済制御部を、さらに有し、履歴記録部は、売買決済処理もユーザ行動履歴に記録してもよい。
【００３９】
また、上述のようなデータ処理システムにおいて、決済制御部は、ユーザ携帯端末に形成されていて確定された店頭販売商品の売買決済処理を実行し、ユーザ携帯端末は、完了された売買決済処理を履歴記録部まで通知する決済送信部を、さらに有してもよい。
【００４０】
また、上述のようなデータ処理システムにおいて、各種の店頭販売商品の売買決済処理を実行する販売処理装置がレジ店員スペースに設置されており、決済制御部は、販売処理装置と無線通信して確定された店頭販売商品の売買決済処理を実行させ、履歴記録部は、販売処理装置で完了された売買決済処理もユーザ行動履歴に記録してもよい。
【００４１】
また、上述のようなデータ処理システムにおいて、各種の店頭販売商品の売買決済処理を実行する販売処理装置がレジ店員スペースに設置されており、決済制御部は、販売処理装置に形成されていて画像表示デバイスで確定された店頭販売商品の売買決済処理を実行し、履歴記録部は、販売処理装置で完了された売買決済処理もユーザ行動履歴に記録してもよい。
【００４２】
また、上述のようなデータ処理システムにおいて、ユーザ携帯端末は、上下左右のユーザ入力操作を受け付ける縦横操作部と、縦横操作部のユーザ入力操作に対応して画像表示されている店頭販売商品の選定部位を上下左右に移動させる選定移動信号を画像表示デバイスに無線送信する選定送信部と、選定されている店頭販売商品を確定するユーザ入力操作を受け付ける確定操作部と、確定操作部のユーザ入力操作に対応して選定されている店頭販売商品を確定する商品確定信号を画像表示デバイスに無線送信する確定送信部とを、さらに有してもよい。
【００４３】
また、上述のようなデータ処理システムにおいて、商品表示部は、複数種類の店頭販売商品を上下左右に配列させて画像表示デバイスに画像表示させ、商品選定部は、ユーザ携帯端末から無線受信する選定移動信号により画像表示デバイスに画像表示されている店頭販売商品を選定し、商品確定部は、ユーザ携帯端末から無線受信する商品確定信号により画像表示デバイスで選定されている店頭販売商品を確定してもよい。
【００４４】
また、上述のようなデータ処理システムにおいて、ユーザ携帯端末と画像表示デバイスとに赤外線で無線通信する赤外線通信ユニットが搭載されており、商品選定部と商品確定部とが画像表示デバイスに形成されていてユーザ携帯端末と赤外線通信してもよい。
【００４５】
また、上述のようなデータ処理システムにおいて、複数種類の店頭販売商品の少なくとも一部とともに関連する店頭販売商品の宣伝画像データを記憶する宣伝記憶部と、確定された店頭販売商品とともに記憶されている宣伝画像データを選出する宣伝選出部と、選出された宣伝画像データを確定された店頭販売商品とともに画像表示デバイスに表示出力させる宣伝表示部とを、さらに有してもよい。
【００４６】
また、上述のようなデータ処理システムにおいて、店頭収容ラックに形成されていて確定された店頭販売商品の商品収容位置を報知出力する収容報知部を、さらに有してもよい。
【００４７】
また、上述のようなデータ処理システムにおいて、販売処理装置は、店頭販売商品の売買決済処理に対応して販売履歴データを生成し、サプライチェーン店舗の店舗バックヤードなどに設置されて生成された販売履歴データを取得する店舗サーバ装置を、さらに有し、店舗サーバ装置は、収容記憶部と商品表示部と商品選定部と履歴記録部との少なくとも一部を有してもよい。
【００４８】
また、上述のようなデータ処理システムにおいて、店頭収容ラックは、収容記憶部と商品表示部と商品選定部と履歴記録部との少なくとも一部を有してもよい。
【００４９】
また、上述のようなデータ処理システムにおいて、販売処理装置は、収容記憶部と商品表示部と商品選定部と履歴記録部との少なくとも一部を有してもよい。
【００５０】
また、上述のようなデータ処理システムにおいて、レジ店員スペースでの販売処理装置の近傍で一般ユーザに視認される位置に設置される画像表示装置を、さらに有し、画像表示装置は、収容記憶部と商品表示部と商品選定部と履歴記録部との少なくとも一部と画像表示デバイスとを有してもよい。
【００５１】
本発明の店舗サーバ装置は、本発明のデータ処理システムの店舗サーバ装置であって、収容記憶部と商品表示部と商品選定部と履歴記録部との少なくとも一部を有する。
【００５２】
本発明の店頭収容ラックは、本発明のデータ処理システムの店頭収容ラックであって、収容記憶部と商品表示部と商品選定部と履歴記録部との少なくとも一部を有する。
【００５３】
本発明の販売処理装置は、本発明のデータ処理システムの販売処理装置であって、収容記憶部と商品表示部と商品選定部と履歴記録部との少なくとも一部を有する。
【００５４】
本発明の画像表示装置は、本発明のデータ処理システムの画像表示装置であって、収容記憶部と商品表示部と商品選定部と履歴記録部との少なくとも一部と画像表示デバイスとを有する。
【００５５】
本発明のコンピュータプログラムは、本発明の店舗サーバ装置と本発明の店頭収容ラックと本発明の販売処理装置と本発明の画像表示装置との少なくとも一個のコンピュータプログラムであって、少なくとも店頭収容ラックに収容されている店頭販売商品を記憶する収容記憶処理と、店頭収容ラックに収容されている複数種類の店頭販売商品を画像表示デバイスに画像表示させる商品表示処理と、ユーザ携帯端末のユーザ入力操作に対応して画像表示デバイスに画像表示されている店頭販売商品を自在に選定する商品選定処理と、一人の一般ユーザのユーザ入力操作によるユーザ携帯端末の画像表示デバイスとの少なくとも無線通信の開始から店頭販売商品の選定までを一つのユーザ行動履歴として記録する履歴記録処理と、の少なくとも一部を店舗サーバ装置と店頭収容ラックと販売処理装置と画像表示装置との少なくとも一個に実行させるコンピュータプログラム。
【００５６】
本発明のデータ処理方法は、本発明の店舗サーバ装置と本発明の店頭収容ラックと本発明の販売処理装置と本発明の画像表示装置との少なくとも一個のデータ処理方法であって、少なくとも店頭収容ラックに収容されている店頭販売商品を記憶する収容記憶動作と、店頭収容ラックに収容されている複数種類の店頭販売商品を画像表示デバイスに画像表示させる商品表示動作と、ユーザ携帯端末のユーザ入力操作に対応して画像表示デバイスに画像表示されている店頭販売商品を自在に選定する商品選定動作と、一人の一般ユーザのユーザ入力操作によるユーザ携帯端末の画像表示デバイスとの少なくとも無線通信の開始から店頭販売商品の選定までを一つのユーザ行動履歴として記録する履歴記録動作と、の少なくとも一部を店舗サーバ装置と店頭収容ラックと販売処理装置と画像表示装置との少なくとも一個に実行させる。
【００５７】
なお、本発明の各種の構成要素は、その機能を実現するように形成されていればよく、例えば、所定の機能を発揮する専用のハードウェア、所定の機能がコンピュータプログラムにより付与されたデータ処理システム、コンピュータプログラムによりデータ処理システムに実現された所定の機能、これらの任意の組み合わせ、等として実現することができる。
【００５８】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００５９】
また、本発明のコンピュータプログラムおよびデータ処理方法は、複数の処理および動作を順番に記載してあるが、その記載の順番は複数の処理および複数の動作を実行する順番を限定するものではない。
【００６０】
このため、本発明のコンピュータプログラムおよびデータ処理方法を実施するときには、その複数の処理および複数の動作の順番は内容的に支障しない範囲で変更することができる。
【００６１】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【発明の効果】
【００６２】
本発明のデータ処理システムでは、サプライチェーン店舗のレジ店員スペースに設置される店頭収容ラックが一般ユーザの要望により店舗作業員が取得する店頭販売商品を商品収容位置ごとに取得自在に収容し、少なくとも店頭収容ラックに収容されている店頭販売商品を収容記憶部が記憶する。表示画像が一般ユーザに視認される画像表示デバイスがレジ店員スペースに設置され、その画像表示デバイスに商品表示部が店頭収容ラックに収容されている複数種類の店頭販売商品を画像表示させる。ユーザ携帯端末のユーザ入力操作に対応して画像表示デバイスに画像表示されている店頭販売商品を商品選定部が自在に選定する。ただし、一人の一般ユーザのユーザ入力操作によるユーザ携帯端末の画像表示デバイスとの少なくとも無線通信の開始から店頭販売商品の選定までを一つのユーザ行動履歴として履歴記録部が記録する。そして、複数のサプライチェーン店舗で任意に記録されたユーザ行動履歴を記録収集部がデータ収集する。このため、一般ユーザは自身のユーザ携帯端末のユーザ入力操作で画像表示デバイスに画像表示されている店頭販売商品を自在に選定することができる。しかも、このようにユーザ行動の自由度を向上させておきながら、一般的な販売履歴データだけでは不可能な、そのユーザ行動履歴までデータ収集することができる。このため、特定の店頭販売商品の販売戦略の立案などに有効に利用することができる。
【図面の簡単な説明】
【００６３】
【図１】本発明の実施の形態のデータ処理システムの論理構造を示す模式的なブロック図である。
【図２】データ処理システムの物理構造を示す模式的なブロック図である。
【図３】データ処理システムの物理構造を示すブロック図である。
【図４】サプライチェーン店舗であるコンビニエンスストアのレジ店員スペースの内部レイアウトを示す模式的な斜視図である。
【図５】店頭販売商品であるタバコパックの外観を示す斜視図である。
【図６】ユーザ携帯端末の外観を示す斜視図である。
【図７】ユーザ携帯端末の回路構造を示すブロック図である。
【図８】店頭収容ラックの外観を示す斜視図である。
【図９】店頭収容ラックの回路構造を示すブロック図である。
【図１０】画像表示装置の外観を示す正面図である。
【図１１】画像表示装置の回路構造を示すブロック図である。
【図１２】店頭収容ラックのデータ処理方法を示すフローチャートである。
【図１３】ユーザ携帯端末のデータ処理方法を示すフローチャートである。
【図１４】画像表示装置のデータ処理方法を示すフローチャートである。
【図１５】データ処理装置のデータ処理方法を示すフローチャートである。
【図１６】ユーザ携帯端末でタバコ簡易購入のアプリケーションプログラムが起動された状態を示す模式的な正面図である。
【図１７】ユーザ携帯端末のユーザ入力操作と画像表示装置の表示画像との関係を示す模式的な正面図である。
【図１８】ユーザ携帯端末のユーザ入力操作と画像表示装置の表示画像との関係を示す模式的な正面図である。
【図１９】一の変形例のデータ処理システムの画像表示装置の表示画像を示す正面図である。
【発明を実施するための形態】
【００６４】
本発明の実施の一形態を図面を参照して以下に説明する。本実施の形態のデータ処理システム１０００は、詳細には後述するが、図１ないし図４に示すように、複数のサプライチェーン店舗であるコンビニエンスストアＣＶＳに個々に設置されてタバコパックＳＴＰなどの各種の店頭販売商品を商品ＩＤデータＴＩＤで売買決済処理する販売処理装置２００を有し、図１および図２に示すように、一般ユーザに所持されているユーザ携帯端末１００と無線通信する。
【００６５】
本実施の形態のデータ処理システム１０００は、図１に示すように、コンビニエンスストアＣＶＳのレジ店員スペースＳＲＳに設置されて一般ユーザの要望により店舗作業員が取得するタバコパックＳＴＰ等を商品収容位置ＰＫＳごとに取得自在に収容する店頭収容ラック３００と、少なくとも店頭収容ラック３００に収容されているタバコパックＳＴＰ等を記憶する収容記憶部３１０と、レジ店員スペースＳＲＳに設置されて一般ユーザに表示画像が視認される画像表示デバイスであるディスプレイパネル４０１と、店頭収容ラック３００に収容されている複数種類のタバコパックＳＴＰ等をディスプレイパネル４０１に画像表示させる商品表示部４１０と、ユーザ携帯端末１００のユーザ入力操作に対応してディスプレイパネル４０１に画像表示されているタバコパックＳＴＰ等を自在に選定する商品選定部４２０と、一人の一般ユーザのユーザ入力操作によるユーザ携帯端末１００のディスプレイパネル４０１との少なくとも無線通信の開始からタバコパックＳＴＰ等の選定までを一つのユーザ行動履歴ＹＭＲとして記録する履歴記録部４４０と、複数のコンビニエンスストアＣＶＳで任意に記録されたユーザ行動履歴ＹＭＲをデータ収集する記録収集部５１０と、を有する。
【００６６】
より具体的には、本実施の形態のデータ処理システム１０００は、図１等に示すように、上述した販売処理装置２００および店頭収容ラック３００とともに、画像表示装置４００とデータ処理装置５００と本部管理装置６００も有する。
【００６７】
図２および図３に示すように、画像表示装置４００と販売処理装置２００とは、複数のコンビニエンスストアＣＶＳの各々に個々に設置されている。そして、その複数の販売処理装置２００は、ＷＡＮ(Wide Area Network)などの通信ネットワークＣＩＮを経由するなどして、図１に示すように、コンビニエンス本部ＣＶＨの本部管理装置６００に接続されている。
【００６８】
同様に、複数の画像表示装置４００は、やはり通信ネットワークＣＩＮを経由するなどして、商品製造メーカＴＭＭのデータベースサーバなどのデータ処理装置５００に接続されている。
【００６９】
なお、詳細には後述するが、このような商品製造メーカＴＭＭのデータ処理装置５００は、例えば、専用回線(図示せず)などの通信ネットワークＣＩＮでコンビニエンス本部ＣＶＨの本部管理装置６００と接続されている。
【００７０】
より具体的には、販売処理装置２００は、いわゆる電子キャッシュレジスタやＰＯＳ端末からなり、図４に示すように、コンビニエンスストアＣＶＳのレジ店員スペースＳＲＳに少なくとも一個が設置されている。
【００７１】
ただし、本実施の形態のコンビニエンスストアＣＶＳでは、例えば、上述のようなレジ店員スペースＳＲＳの後方などに店頭収容ラック３００が設置されており、後部上方などに画像表示装置４００が天井面(図示せず)から懸架されている。
【００７２】
なお、本実施の形態のデータ処理システム１０００が対象とする店頭販売商品であるタバコパックＳＴＰは、例えば、図５に示すように、バーコード画像が表記されており、このバーコード画像に商品ＩＤデータＴＩＤが登録されている。
【００７３】
なお、詳細には後述するが、タバコパックＳＴＰは、図８に示すように、いわゆるタバコカートンＳＴＫやブリックパックＳＢＰなどとしても製品化されている。このタバコカートンＳＴＫなどにもバーコード画像が表記されており、そのバーコード画像にはタバコカートンＳＴＫなどの商品ＩＤデータＴＩＤが登録されている。
【００７４】
そこで、販売処理装置２００は、例えば、上述のようなバーコード画像をバーコードリーダ(図示せず)で光学読取することなどにより、タバコパックＳＴＰ等の各種の店頭販売商品の売買決済処理を実行する。
【００７５】
このため、販売処理装置２００は、既存のＰＯＳ端末などと同様に、コンピュータユニット、キーボードデバイス、ディスプレイデバイス、スピーカデバイス、バーコードリーダ、データ通信ユニット、等を有する(図示せず)。
【００７６】
より詳細には後述するが、販売処理装置２００は、上述のコンピュータユニットが実装されているコンピュータプログラムに対応して各種のハードウェアを統合制御することなどにより、図１に示すように、入力される商品ＩＤデータＴＩＤでタバコパックＳＴＰを売買決済処理して販売履歴データＳＲＤを生成する販売処理部２１０と、生成された販売履歴データＳＲＤを本部管理装置６００に送信する履歴送信部２２０と、を論理的に有する。
【００７７】
このため、本部管理装置６００も、そのコンピュータユニットが実装されているコンピュータプログラムに対応して各種のハードウェアを統合制御することなどにより(図示せず)、図１に示すように、複数のコンビニエンスストアＣＶＳの販売処理装置２００から販売履歴データＳＲＤをデータ収集する履歴収集部６１０を論理的に有する。
【００７８】
また、ユーザ携帯端末１００は、いわゆる多機能な携帯電話端末などからなり、図６および図７に示すように、コンピュータユニット１１０、キーボードデバイス１２０、ディスプレイデバイス１３１、スピーカデバイス１３２、マイクロフォン１３３、電波通信ユニット１３４、赤外線通信ユニット１３５、等のハードウェアを有する。
【００７９】
より詳細には後述するが、ユーザ携帯端末１００は、上述のコンピュータユニット１１０が実装されているコンピュータプログラムに対応して各種のハードウェアを統合制御することなどにより、図１に示すように、前述の決済制御部１１１などが各種機能として論理的に実現されている。
【００８０】
このため、決済制御部１１１は、ユーザ携帯端末１００に形成されていて確定されたタバコパックＳＴＰ等の売買決済処理を実行する。さらに、ユーザ携帯端末１００は、売買決済処理が完了したタバコパックＳＴＰ等の販売商品情報を販売処理装置２００まで送信する決済送信部１１２も論理的に有し、販売処理装置２００は、売買決済処理が完了したタバコパックＳＴＰ等の販売商品情報をユーザ携帯端末１００から受信して店舗作業員に報知出力する商品報知部２３０も論理的に有する。
【００８１】
また、ユーザ携帯端末１００は、図６および図７に示すように、前述のキーボードデバイス１２０の一部として、上下左右のユーザ入力操作を受け付ける縦横操作部１２１と、選定されているタバコパックＳＴＰ等を確定するユーザ入力操作を受け付ける確定操作部１２２と、も有する。
【００８２】
なお、この確定操作部１２２は、頻繁に利用されるメインキーとして、キーボードデバイス１２０の上部中央に形成されている。そして、縦横操作部１２１は、いわゆる十字キーとして機能するように、円形の確定操作部１２２を包囲する環状に形成されている。
【００８３】
このユーザ携帯端末１００は、前述のようにコンピュータユニット１１０が実装されているコンピュータプログラムに対応して機能することなどにより、図１に示すように、縦横操作部１２１のユーザ入力操作に対応して画像表示されているタバコパックＳＴＰ等の選定部位を上下左右に移動させる選定移動信号ＳＭＳをディスプレイパネル４０１に無線送信する選定送信部１１３と、確定操作部１２２のユーザ入力操作に対応して選定されているタバコパックＳＴＰ等を確定する商品確定信号ＴＤＳをディスプレイパネル４０１に無線送信する確定送信部１１４と、も論理的に有する。
【００８４】
このため、前述した画像表示装置４００の商品表示部４１０は、複数種類のタバコパックＳＴＰ等を上下左右に配列させてディスプレイパネル４０１に画像表示させ、商品選定部４２０は、ユーザ携帯端末１００から無線受信する選定移動信号ＳＭＳによりディスプレイパネル４０１に画像表示されているタバコパックＳＴＰ等を選定し、商品確定部４３０は、ユーザ携帯端末１００から無線受信する商品確定信号ＴＤＳによりディスプレイパネル４０１で選定されているタバコパックＳＴＰ等を確定する。
【００８５】
さらに、本実施の形態の画像表示装置４００は、図３に示すように、前述のようにレジ店員スペースＳＲＳの後部上方などに天井面から懸架されている。このため、ディスプレイパネル４０１として大画面かつ薄型のフルカラー表示のＰＤＰ(Plasma Display Panel)やＬＣＤ(Liquid Crystal Display)などを有する。
【００８６】
この画像表示装置４００も、図１１に示すように、ディスプレイパネル４０１とコンピュータユニット４０２とデータ通信ユニット４０３とを有し、このデータ通信ユニット４０３が前述の通信ネットワークＣＩＮに接続されている。
【００８７】
さらに、画像表示装置４００は、ユーザ携帯端末１００と赤外線で無線通信する赤外線通信ユニット４０４も有し、この赤外線通信ユニット４０４もコンピュータユニット４０２に接続されている。
【００８８】
このため、このコンピュータユニット４０２が赤外線通信ユニット４０４を動作制御することなどにより、図１に示すように、商品選定部４２０および商品確定部４３０がディスプレイパネル４０１に論理的に形成されており、ユーザ携帯端末１００の選定送信部１１３および確定送信部１１４と赤外線で各々通信する。
【００８９】
さらに、収容記憶部３１０は、店頭収容ラック３００に形成されており、その複数種類のタバコパックＳＴＰ等と複数の商品収容位置ＰＫＳとの収容対応関係ＫＣＲを記憶する。
【００９０】
なお、この収容対応関係ＫＣＲでは、商品収容位置ＰＫＳごとにタバコ銘柄データＴＢＤが登録されており、このタバコ銘柄データＴＢＤは、タバコパックＳＴＰの商品ＩＤデータＴＩＤやタバコ銘柄画像ＴＢＰなどからなる。
【００９１】
そこで、画像表示装置４００の商品表示部４１０は、図１０に示すように、記憶されている収容対応関係ＫＣＲにより複数種類のタバコパックＳＴＰ等のタバコ銘柄画像ＴＢＰを商品収容位置ＰＫＳに対応してディスプレイパネル４０１に画像表示させる。
【００９２】
また、本実施の形態の店頭収容ラック３００は、やはり詳細には後述するが、前述のように確定されたタバコパックＳＴＰ等の商品収容位置ＰＫＳを報知出力する収容報知部３２０も論理的に有する。
【００９３】
より具体的には、この店頭収容ラック３００は、図８に示すように、前後方向に細長い上面開口のボックス状に形成されていて前後方向に配列された複数のタバコパックＳＴＰを保持する形状の複数のマガジンユニット３０１、上面開口のボックス状に形成されていて左右方向に配列された複数のマガジンユニット３０１を保持する形状の複数のトレーユニット３０２、前面開口のボックス状に形成されていて上下方向に離間した配置で複数のトレーユニット３０２を保持する形状の複数のフレームユニット３０３、等で構築されている。
【００９４】
店頭収容ラック３００は、陳列販売商品であるタバコパックＳＴＰ、複数のタバコパックＳＴＰがパックされた商品であるタバコカートンＳＴＫ、特別なタバコパックＳＴＰであるブリックパックＳＢＰ、等を陳列する。
【００９５】
なお、ブリックパックＳＢＰは、例えば、携帯灰皿などのノベルティグッズをタバコパックＳＴＰと一体にパッキングした構造などからなり、上述のように特別な構造のタバコパックＳＴＰと認識することができる。
【００９６】
現在、タバコパックＳＴＰは、上下寸法に多少の長短はあるものの、一般的に前後左右の寸法が共通した定型の直方体状に形成されている。そして、本実施の形態では、タバコパックＳＴＰの最大面を前面および後面、最小面を上面および下面、と規定する。
【００９７】
なお、通常のタバコパックＳＴＰは前面(および後面)に銘柄などが表記されている。このため、その前面が前方に位置する適正な方向の状態で陳列されることが好ましい。そして、マガジンユニット３０１は、上述のように方向が適正な状態の複数のタバコパックＳＴＰを前後方向に配列した状態で収容する。
【００９８】
トレーユニット３０２も、上面が開口したボックス状に無色透明な樹脂で形成されている。トレーユニット３０２には、複数のマガジンユニット３０１が左右方向に配列された状態で設置される。
【００９９】
ただし、本実施の形態の店頭収容ラック３００では、五個のマガジンユニット３０１が設置されている幅広のトレーユニット３０２と、三個のマガジンユニット３０１が設置されている幅狭のトレーユニット３０２と、がある。
【０１００】
そこで、本実施の形態の店頭収容ラック３００は、図８に示すように、左右寸法が大きいトレーユニット３０２を三個支持するフレームユニット３０３、左右寸法が大きいトレーユニット３０２を二個支持するフレームユニット３０３、左右寸法が小さいトレーユニット３０２を三個支持するフレームユニット３０３、左右寸法が小さいトレーユニット３０２を二個支持するフレームユニット３０３、で形成されている。
【０１０１】
なお、本実施の形態の店頭収容ラック３００は、前述のようにトレーユニット３０２に設置されているマガジンユニット３０１にタバコパックＳＴＰを収容する他、マガジンユニット３０１が設置されていないトレーユニット３０２にタバコカートンＳＴＫを長手方向が前後方向の状態や左右方向の状態で収容することもできる。
【０１０２】
そして、本実施の形態の店頭収容ラック３００では、上述のようにタバコパックＳＴＰやタバコカートンＳＴＫやブリックパックＳＢＰを収容するマガジンユニット３０１やトレーユニット３０２の前面に、その商品収容位置ＰＫＳを報知する発光素子３１２が装着されている。
【０１０３】
この発光素子３１２は、例えば、発色が相違する複数のＬＥＤ(Light Emitting Diode)を内蔵したユニット構造に形成されており、赤色や緑色などの複数カラーに省電力に点灯する。
【０１０４】
なお、上述のように商品収容位置ＰＫＳとなるマガジンユニット３０１やトレーユニット３０２には、図９に示すように、そのタバコパックＳＴＰやタバコカートンＳＴＫやブリックパックＳＢＰの店頭在庫状況を検出する光学センサ３１３が各々の所定位置に搭載されている。
【０１０５】
そして、店頭収容ラック３００は、コンピュータユニット３１１も有しており、そのコンピュータユニット３１１に、マガジンユニット３０１やトレーユニット３０２ごとの複数の発光素子３１２および光学センサ３１３が接続されている。
【０１０６】
また、店頭収容ラック３００のコンピュータユニット３１１にはデータ通信ユニット３１４も接続されており、このデータ通信ユニット３１４が販売処理装置２００および画像表示装置４００と社内ＬＡＮ(Local Area Network)などの通信ネットワークＣＩＮで接続されている。
【０１０７】
本実施の形態の店頭収容ラック３００も、やはりコンピュータユニット３１１が実装されているコンピュータプログラムに対応して各部を統合制御することなどにより、前述の収容記憶部３１０と収容報知部３２０とが論理的に実現されている。
【０１０８】
なお、詳細には後述するが、本実施の形態の画像表示装置４００は、前述のようにタバコパックＳＴＰのタバコ銘柄画像ＴＢＰを店頭収容ラック３００での商品収容位置ＰＫＳに対応して上下左右に配列して表示出力する。
【０１０９】
このため、その履歴記録部４４０は、ユーザ携帯端末１００のディスプレイパネル４０１に画像表示されているタバコパックＳＴＰ等を選定する過程の上下左右の移動経路もユーザ行動履歴ＹＭＲに記録する。
【０１１０】
そして、データ処理装置５００の記録収集部５１０は、ユーザ行動履歴ＹＭＲに記録されたディスプレイパネル４０１での移動経路を複数種類のタバコパックＳＴＰ等の表示画像と関連させてデータ収集する。
【０１１１】
また、画像表示装置４００の履歴記録部４４０は、前述の確定操作部１２２のユーザ入力操作によるタバコパックＳＴＰ等の確定、その確定により完了されて通知されたタバコパックＳＴＰ等の売買決済処理、もユーザ行動履歴ＹＭＲに記録する。
【０１１２】
前述のように、本実施の形態のデータ処理システム１０００では、ユーザ携帯端末１００と販売処理装置２００と店頭収容ラック３００と画像表示装置４００とデータ処理装置５００と本部管理装置６００とは、そのコンピュータユニット１１０，３１１，４０２等が実装されているコンピュータプログラムに対応して各種ハードウェアを統合制御することなどにより、図１に示すように、その決済制御部１１１〜，商品報知部２３０，収容記憶部３１０〜，商品表示部４１０〜、記録収集部５１０，履歴収集部６１０、等の各部が論理的に実現されている。
【０１１３】
例えば、ユーザ携帯端末１００の選定送信部１１３は、コンピュータユニット１１０が実装されているコンピュータプログラムに対応して縦横操作部１２１のユーザ入力操作を認識して赤外線通信ユニット１３５を動作制御する機能などに相当する。
【０１１４】
同様に、確定送信部１１４は、コンピュータユニット１１０がコンピュータプログラムに対応して確定操作部１２２のユーザ入力操作を認識して赤外線通信ユニット１３５を動作制御する機能などに相当する。
【０１１５】
決済制御部１１１は、コンピュータユニット１１０がコンピュータプログラムに対応して確定操作部１２２のユーザ入力操作を認識する機能などに相当し、決済送信部１１２は、赤外線通信ユニット１３５を動作制御する機能などに相当する。
【０１１６】
店頭収容ラック３００の収容記憶部３１０は、コンピュータユニット３１１がコンピュータプログラムに対応して認識する内蔵メモリの記憶エリアなどに相当する。収容報知部３２０は、コンピュータユニット３１１がコンピュータプログラムに対応して発光素子３１２の点灯を動作制御する機能などに相当する。
【０１１７】
画像表示装置４００の商品表示部４１０は、コンピュータユニット４０２がコンピュータプログラムに対応して店頭収容ラック３００の記憶データをディスプレイパネル４０１に表示出力させる機能などに相当する。
【０１１８】
商品選定部４２０と商品確定部４３０とは、コンピュータユニット４０２がコンピュータプログラムに対応してディスプレイパネル４０１の画像表示を動作制御する機能などに相当する。
【０１１９】
販売処理装置２００の商品報知部２３０は、コンピュータユニット(図示せず)がコンピュータプログラムに対応してデータ通信ユニットの受信データをディスプレイユニットに表示出力させる機能などに相当する。
【０１２０】
なお、上述のようなユーザ携帯端末１００のコンピュータプログラムは、例えば、製品に最初から実装されているＯＳ(Operating System)等の標準プログラムと、タバコパックＳＴＰの商品製造メーカ(図示せず)がインターネットなどで配布するアプリケーションプログラムと、の組み合わせからなる。
【０１２１】
このようなユーザ携帯端末１００のコンピュータプログラムは、例えば、縦横操作部１２１のユーザ入力操作に対応して画像表示されているタバコパックＳＴＰ等の選定部位を上下左右に移動させる選定移動信号ＳＭＳをディスプレイパネル４０１に無線送信する選定送信処理と、確定操作部１２２のユーザ入力操作に対応して選定されているタバコパックＳＴＰ等を確定する商品確定信号ＴＤＳをディスプレイパネル４０１に無線送信する確定送信処理と、確定されたタバコパックＳＴＰ等の売買決済処理を実行する売買決済処理と、売買決済処理が完了したタバコパックＳＴＰ等の販売商品情報を販売処理装置２００まで送信する決済送信処理と、等をユーザ携帯端末１００に実行させるように記述されている。
【０１２２】
また、販売処理装置２００のコンピュータプログラムは、入力される商品ＩＤデータＴＩＤでタバコパックＳＴＰを売買決済処理して販売履歴データＳＲＤを生成する販売制御処理、生成された販売履歴データＳＲＤを本部管理装置６００に送信する履歴送信処理、売買決済処理が完了したタバコパックＳＴＰ等の販売商品情報をユーザ携帯端末１００から受信して店舗作業員に報知出力する商品報知処理、等を販売処理装置２００に実行させるように記述されている。
【０１２３】
また、店頭収容ラック３００のコンピュータプログラムは、複数種類のタバコパックＳＴＰ等と複数の商品収容位置ＰＫＳとの収容対応関係ＫＣＲを記憶する収容記憶処理と、確定されたタバコパックＳＴＰ等の商品収容位置ＰＫＳを報知出力する収容報知処理と、等を店頭収容ラック３００に実行させるように記述されている。
【０１２４】
また、画像表示装置４００のコンピュータプログラムは、例えば、店頭収容ラック３００に収容されている複数種類のタバコパックＳＴＰ等をディスプレイパネル４０１に画像表示させる商品表示処理と、ユーザ携帯端末１００のユーザ入力操作に対応してディスプレイパネル４０１に画像表示されているタバコパックＳＴＰ等を自在に選定する商品選定処理と、ユーザ携帯端末１００のユーザ入力操作に対応してディスプレイパネル４０１で選定されているタバコパックＳＴＰ等を確定する商品確定処理と、一人の一般ユーザの画像表示装置４００への少なくとも入力操作からタバコ購入チケットＴＳＴの発行までを一つのユーザ行動履歴ＹＭＲとして記録する履歴記録処理と、等を画像表示装置４００に実行させるように記述されている。
【０１２５】
データ処理装置５００のコンピュータプログラムは、複数のコンビニエンスストアＣＶＳで任意に記録されたユーザ行動履歴ＹＭＲをデータ収集する記録収集処理、等をデータ処理装置５００に実行させるように記述されている。
【０１２６】
本部管理装置６００のコンピュータプログラムは、複数のコンビニエンスストアＣＶＳの販売処理装置２００から販売履歴データＳＲＤをデータ収集する履歴収集処理、等を本部管理装置６００に実行させるように記述されている。
【０１２７】
上述のような構成において、本実施の形態のデータ処理システム１０００では、コンビニエンスストアＣＶＳに店頭販売商品としてタバコパックＳＴＰ等を納品している商品製造メーカが、例えば、インターネットのウェブサイトでタバコ簡易購入のアプリケーションプログラムをユーザ携帯端末１００に配布する(図示せず)。
【０１２８】
そこで、タバコパックＳＴＰ等の簡易購入を要望する一般ユーザは、自身のユーザ携帯端末１００で上述のウェブサイトからアプリケーションプログラムをダウンロードしてインストールする。
【０１２９】
これでユーザ携帯端末１００には、前述した決済制御部１１１等の各部が論理的に実現され、コンビニエンスストアＣＶＳの画像表示装置４００を利用したタバコパックＳＴＰ等の簡易購入が可能な状態となる。
【０１３０】
一方、コンビニエンスストアＣＶＳの店頭販売商品であるタバコパックＳＴＰ等は、図４に示すように、例えば、レジ店員スペースＳＲＳの後方に店頭収容ラック３００で陳列されている。その商品収容位置ＰＫＳとタバコパックＳＴＰなどの商品ＩＤデータＴＩＤとの収容対応関係ＫＣＲが店頭収容ラック３００にデータ登録される。
【０１３１】
このような状態で、店頭収容ラック３００は、図１２に示すように、複数の商品収容位置ＰＫＳごとにタバコパックＳＴＰなどの店頭在庫状況を光学センサ３１３により常時検出しており(ステップＴ１)、店頭在庫無しが検出された商品収容位置ＰＫＳの発光素子３１２を赤色に点灯させる(ステップＴ２−Ｙ，Ｔ３)。
【０１３２】
これで店頭在庫無しのタバコパックＳＴＰなどを店舗作業員が確実に認識することになるので、その店舗作業員は時間のあるときにタバコパックＳＴＰを商品収容位置ＰＫＳに補充することになる。この補充を検出した店頭収容ラック３００では(ステップＴ４−Ｙ)、その商品収容位置ＰＫＳの発光素子３１２の赤色の点灯が終了される(ステップＴ５)。
【０１３３】
上述のような状態で、タバコパックＳＴＰの購入を希望する一般ユーザは、従来はレジ店員スペースＳＲＳの店舗作業員にタバコ銘柄と個数などを口頭で伝達することで、所望のタバコパックＳＴＰを購入していた。
【０１３４】
しかし、本実施の形態のデータ処理システム１０００では、前述のように一般ユーザが所望によりタバコ簡易購入のアプリケーションプログラムをユーザ携帯端末１００にインストールしておくことで、画像表示装置４００を利用してタバコパックＳＴＰ等を簡易購入することができる。
【０１３５】
まず、画像表示装置４００は、図１４および図１０に示すように、通常は店頭収容ラック３００から取得する収容対応関係ＫＣＲによりタバコ銘柄画像ＴＢＰを商品収容位置ＰＫＳに対応して表示している(ステップＥ１)。
【０１３６】
そこで、このような画像表示装置４００の表示画像を確認した一般ユーザが、図１３および図１６に示すように、所望によりユーザ携帯端末１００の所定操作で上述のタバコ簡易購入のアプリケーションプログラムを起動する(ステップＳ１−Ｙ，Ｓ２)。
【０１３７】
すると、ユーザ携帯端末１００は、図１３に示すように、画像表示装置４００に赤外線での通信要求を送信する(ステップＳ３)。図１４に示すように、この通信要求を受信した画像表示装置４００は(ステップＥ２−Ｙ)、ユーザ携帯端末１００との一対一の赤外線通信を確立する(ステップＥ３，Ｓ４−Ｙ)。
【０１３８】
すると、画像表示装置４００は、例えば、表示画面の中央に位置するタバコ銘柄画像ＴＢＰや、最も売れているタバコパックＳＴＰのタバコ銘柄画像ＴＢＰなどを、標準銘柄として選定表示する(ステップＥ４)。
【０１３９】
この画像表示装置４００の選定表示は、図１７および図１８に示すように、選定されているタバコ銘柄画像ＴＢＰを明転させ、それ以外のタバコ銘柄画像ＴＢＰを暗転させることなどで、明瞭に実行される。
【０１４０】
このとき、本実施の形態の画像表示装置４００では、上述のユーザ携帯端末１００との赤外線通信の開始が、一人の一般ユーザによるユーザ行動履歴ＹＭＲの開始として日時などとともに記録される(ステップＥ５)。
【０１４１】
さらに、この画像表示装置４００は、図１４に示すように、上述のように選定表示されたタバコパックＳＴＰのタバコ銘柄データＴＢＤをユーザ携帯端末１００に赤外線送信する(ステップＥ６)。
【０１４２】
図１３に示すように、このタバコ銘柄データＴＢＤを赤外線受信したユーザ携帯端末１００では(ステップＳ７−Ｙ)、図１７および図１８に示すように、そのタバコ銘柄データＴＢＤにより購入ガイダンスメッセージがディスプレイデバイス１３１に表示出力される(ステップＳ８)。
【０１４３】
このため、一般ユーザは画像表示装置４００とユーザ携帯端末１００との両方で、購入候補のタバコパックＳＴＰを確認することになる。そこで、そのタバコパックＳＴＰの購入を要望しない場合には、図１７(ｂ)に示すように、縦横操作部１２１を上下左右にユーザ入力操作する。
【０１４４】
すると、これを検知したユーザ携帯端末１００は(ステップＳ５−Ｙ)、縦横操作部１２１のユーザ入力操作に対応して選定移動信号ＳＭＳを画像表示装置４００に赤外線送信する(ステップＳ６)。
【０１４５】
この画像表示装置４００は(ステップＥ７−Ｙ)、図１７(ａ)に示すように、受信した選定移動信号ＳＭＳに対応してタバコ銘柄画像ＴＢＰの選定表示位置を上下左右に移動させる(ステップＥ８)。
【０１４６】
そして、このようにタバコ銘柄画像ＴＢＰが選定表示されるごとに、対応するタバコ銘柄データＴＢＤをユーザ携帯端末１００に赤外線送信するので(ステップＥ１０)、そのタバコ銘柄データＴＢＤがユーザ携帯端末１００のディスプレイデバイス１３１に表示出力される(ステップＳ８)。
【０１４７】
このとき、画像表示装置４００では、上述のようにユーザ携帯端末１００のユーザ入力操作により順次選定された複数のタバコ銘柄画像ＴＢＰのタバコ銘柄データＴＢＤが、ユーザ行動履歴ＹＭＲとして記録される(ステップＥ９)。
【０１４８】
上述のような入力操作により所望のタバコパックＳＴＰを選定した一般ユーザは、図１８(ｂ)に示すように、確定操作部１２２をユーザ入力操作する。すると、これを検知したユーザ携帯端末１００では(ステップＳ９−Ｙ)、商品確定信号ＴＤＳを画像表示装置４００に赤外線送信する(ステップＳ１０)。
【０１４９】
そして、本実施の形態のデータ処理システム１０００では、上述のようにタバコ簡易購入の確定がユーザ入力操作されたユーザ携帯端末１００は(ステップＳ９−Ｙ)、商品確定信号ＴＤＳの画像表示装置４００への赤外線送信を完了すると(ステップＳ１０)、例えば、既存のクレジットカード機能や電子マネー機能などにより、そのタバコパックＳＴＰの売買決済処理も実行する(ステップＳ１１)。
【０１５０】
この売買決済処理を完了したユーザ携帯端末１００は、決済完了信号を画像表示装置４００に赤外線送信する(ステップＳ１２)。すると、この画像表示装置４００は、赤外線受信した決済完了信号をタバコ銘柄データＴＢＤとともに販売処理装置２００と店頭収容ラック３００とに有線転送する(ステップＥ１３)。
【０１５１】
このとき、画像表示装置４００では、上述の売買決済処理の完了もユーザ行動履歴ＹＭＲとして記録される(ステップＥ１４)。一方、上述のように決済完了信号を有線受信した店頭収容ラック３００では(ステップＴ６−Ｙ)、該当する商品収容位置ＰＫＳの店頭在庫状況が確認される。
【０１５２】
そこで、店頭在庫有りの場合は(ステップＴ７−Ｎ)、対応する商品収容位置ＰＫＳの発光素子３１２が黄色に点滅される(ステップＴ８)。このとき、決済完了信号を受信した販売処理装置２００でも、「タバコパックＥがユーザ購入されました。ラックから取得して顧客に手渡してください」などのガイダンスメッセージがディスプレイユニットに表示出力される(図示せず)。
【０１５３】
そこで、販売処理装置２００で作業していた店舗作業員は、タバコパックＳＴＰなどを取得するために店頭収容ラック３００の位置に移動することになる。その店頭収容ラック３００では、上述のように商品収容位置ＰＫＳが発光素子３１２の黄色の点滅で報知されているので、これで一般ユーザが購入したタバコパックＳＴＰなどの商品収容位置ＰＫＳが店舗作業員に即座に確実に認識される。
【０１５４】
そこで、その店舗作業員はタバコパックＳＴＰを店頭収容ラック３００の商品収容位置ＰＫＳから取得することになる。すると、この取得も光学センサ３１３により検出されるので(ステップＴ９−Ｙ)、発光素子３１２の黄色の点滅が終了される(ステップＴ１０)。
【０１５５】
このようにタバコパックＳＴＰなどを取得した店舗作業員が販売処理装置２００の位置に帰還すると、そのタバコパックＳＴＰを購入する一般ユーザも販売処理装置２００の位置に移動しているので、そのタバコパックＳＴＰは一般ユーザに手渡されることになる。
【０１５６】
なお、店頭収容ラック３００で店頭在庫無しが検出されたときは(ステップＴ７−Ｙ)、対応する商品収容位置ＰＫＳの発光素子３１２が赤色に点滅される(ステップＴ１１)。そして、前述のように店頭収容ラック３００の位置に移動した店舗作業員は、発光素子３１２の赤色点滅により店頭商品欠品を即座に認識することになり、一般ユーザに欠品を謝罪するとともに、可能であればバックヤードなどからタバコパックＳＴＰなどを補充する。
【０１５７】
この補充に成功したときは、当然ながら、そのタバコパックＳＴＰなどが一般ユーザに手渡される。同時に、そのタバコパックＳＴＰなどが店頭収容ラック３００の商品収容位置ＰＫＳに補充される。
【０１５８】
すると、このタバコパックＳＴＰなどの補充も光学センサ３１３により検出されるので(ステップＴ１２−Ｙ)、その商品収容位置ＰＫＳの発光素子３１２の赤色の点滅も終了される(ステップＴ１０)。なお、上述のタバコパックＳＴＰなどが完全に欠品していた場合には、例えば、販売処理装置２００により返金処理が実行される。
【０１５９】
また、図１３に示すように、上述のようにユーザ入力操作でタバコ簡易購入を完了した一般ユーザは、ユーザ携帯端末１００の簡易購入アプリケーションの終了を所定操作により入力する(ステップＳ１３−Ｙ)。
【０１６０】
すると、ユーザ携帯端末１００は、赤外線通信の終了を画像表示装置４００に送信してから(ステップＳ１４)、簡易購入アプリケーションを終了する(ステップＳ１５)。図１４に示すように、上述のように赤外線通信の終了を受信した画像表示装置４００では(ステップＥ１５−Ｙ)、確立していた赤外線通信を終了する(ステップＥ１７)。
【０１６１】
なお、ユーザ携帯端末１００も画像表示装置４００も、所定時間まで入力操作等が発生しないと(ステップＳ１６−Ｙ，Ｅ１６−Ｙ)、タイムアウトにより簡易購入アプリケーションと赤外線通信とを終了する(ステップＳ１５，Ｅ１７)。
【０１６２】
そして、本実施の形態の画像表示装置４００は、上述のように一人の一般ユーザのユーザ携帯端末１００との赤外線通信を完了すると、これもユーザ行動履歴ＹＭＲに記録し、その一人の一般ユーザのユーザ行動履歴ＹＭＲの記録を完了する(ステップＥ１８)。
【０１６３】
一方、商品製造メーカＴＭＭのデータ処理装置５００は、図１５に示すように、例えば、一日一回などの所定の履歴受信日時となると(ステップＰ１−Ｙ)、複数のコンビニエンスストアＣＶＳの画像表示装置４００に記録収集要求を配信する(ステップＰ２)。
【０１６４】
すると、図１４に示すように、これを受信したコンビニエンスストアＣＶＳの画像表示装置４００では(ステップＥ１９−Ｙ)、例えば、前回の送信以後の一日分などのユーザ行動履歴ＹＭＲを、商品製造メーカＴＭＭのデータ処理装置５００に返信する(ステップＥ２１)。
【０１６５】
そこで、この商品製造メーカＴＭＭのデータ処理装置５００は、複数のコンビニエンスストアＣＶＳの画像表示装置４００から返信されるユーザ行動履歴ＹＭＲをデータ収集することになる(ステップＰ３)。
【０１６６】
このようにデータ処理装置５００には、ユーザ行動履歴ＹＭＲがデータ収集されるので(ステップＰ１〜Ｐ３)、例えば、商品製造メーカＴＭＭではユーザ行動履歴ＹＭＲを様々に分析することが可能となる。
【０１６７】
本実施の形態のデータ処理装置５００では、従来のＰＯＳシステムの本部管理装置６００などでデータ収集される、「どのタバコ銘柄が、どの曜日の、どの時刻帯に、何個、販売されたか」などの一般的なＰＯＳデータの他、例えば、以下のようなユーザ行動履歴ＹＭＲもデータ収集される。
【０１６８】
「銘柄確定を最短移動で完了したか無駄な移動を実行したか」
「銘柄移動の操作開始から銘柄確定までの所用時間」
「銘柄確定までに、銘柄移動を、やり直した回数」
「銘柄確定までに、銘柄移動された複数種類のタバコ銘柄画像ＴＢＰの共通属性」
「銘柄確定までの、タバコ銘柄画像ＴＢＰごとの停止時間」
「銘柄確定までに、銘柄移動が迷走した移動パターン」
【０１６９】
さらに、この画像表示装置４００は、入力操作されたもののタバコ購入が中止された場合もユーザ行動履歴ＹＭＲとして記録する。このため、タバコパックＳＴＰの購入が中止された場合の、上述のような各種のユーザ行動履歴ＹＭＲもデータ収集される。
【０１７０】
そこで、本実施の形態の商品製造メーカＴＭＭでは、例えば、図１５に示すように、データ処理装置５００に各種の分析条件を入力することで(ステップＰ４−Ｙ)、上述のような各種のユーザ行動履歴ＹＭＲを、タバコ銘柄ごと、曜日ごと、時間帯ごと、などで分析させて出力させるようなことができる(ステップＰ５，Ｐ６)。
【０１７１】
本実施の形態のデータ処理システム１０００では、上述のようにコンビニエンスストアＣＶＳのレジ店員スペースＳＲＳに設置される店頭収容ラック３００が一般ユーザの要望により店舗作業員が取得するタバコパックＳＴＰ等を商品収容位置ＰＫＳごとに取得自在に収容し、少なくとも店頭収容ラック３００に収容されているタバコパックＳＴＰ等を収容記憶部３１０が記憶する。
【０１７２】
表示画像が一般ユーザに視認されるディスプレイパネル４０１がレジ店員スペースＳＲＳに設置され、そのディスプレイパネル４０１に商品表示部４１０が店頭収容ラック３００に収容されている複数種類のタバコパックＳＴＰ等を画像表示させる。ユーザ携帯端末１００のユーザ入力操作に対応してディスプレイパネル４０１に画像表示されているタバコパックＳＴＰ等を商品選定部４２０が自在に選定する。
【０１７３】
ただし、一人の一般ユーザのユーザ入力操作によるユーザ携帯端末１００のディスプレイパネル４０１との少なくとも無線通信の開始からタバコパックＳＴＰ等の選定までを一つのユーザ行動履歴ＹＭＲとして履歴記録部４４０が記録する。そして、複数のコンビニエンスストアＣＶＳで任意に記録されたユーザ行動履歴ＹＭＲを記録収集部５１０がデータ収集する。
【０１７４】
このため、一般ユーザは自身のユーザ携帯端末１００のユーザ入力操作でディスプレイパネル４０１に画像表示されているタバコパックＳＴＰ等を自在に選定することができる。
【０１７５】
従って、一般ユーザによるアクセスが容易ではないレジ店員スペースＳＲＳのタバコパックＳＴＰ等でも、購入を簡単かつ迅速としてＬＴＶとリテンションを向上させることができる。
【０１７６】
なお、ＬＴＶとは、個々の顧客がある製品や企業に対して付き合っている間に支払う金額合計から、その顧客を獲得・維持するための費用合計を差し引いた「累積 利益額」である。つまり、企業から見て、ある顧客が、その企業と取引している間にどれだけの価値（利益）をもたらしてくれるかを測定する、長期的な視点での指標である。
【０１７７】
そして、上述のように一般ユーザが自由にタバコパックＳＴＰ等を選定できるようにしたうえで、そのユーザ行動履歴ＹＭＲを記録してデータ収集する。このため、一般的な販売履歴データだけでは不可能な、本音のユーザ行動履歴ＹＭＲなどまでデータ収集することができ、特定のタバコパックＳＴＰ等の販売戦略の立案などに有効に利用することができる。
【０１７８】
特に、画像表示装置４００はタバコパックＳＴＰやタバコカートンの購入にのみ利用され、そのユーザ行動履歴ＹＭＲは商品製造メーカＴＭＭのデータ処理装置５００にデータ収集される。
【０１７９】
このため、煩雑な各種の店頭販売商品には関係なく、自動販売機では成人認証が必要で購入が煩雑な、タバコパックＳＴＰ等に特化してユーザ行動履歴ＹＭＲをデータ収集することができる。
【０１８０】
しかも、画像表示装置４００は、ユーザ携帯端末１００との赤外線通信が開始されながらタバコパックＳＴＰが確定されて売買決済処理が実行されなかったことも、一つのユーザ行動履歴ＹＭＲとして記録する。
【０１８１】
つまり、画像表示装置４００は、タバコパックＳＴＰの簡易購入が開始されながら途中で中止されたユーザ行動履歴ＹＭＲも記録する。このため、データ処理装置５００は、従来のＰＯＳシステムでは不可能だった、店頭販売商品の購入を途中で断念した一般ユーザのユーザ行動履歴ＹＭＲもデータ収集することができる。
【０１８２】
さらに、画像表示装置４００は、図１８に示すように、一般ユーザがタバコパックＳＴＰを確定するまでに選定位置を迷走させた移動パターンもユーザ行動履歴ＹＭＲに記録する。このため、データ処理装置５００は、やはり従来のＰＯＳシステムでは不可能だった、一般ユーザの商品購入までの思考過程なども分析することが期待できる。
【０１８３】
特に、記録収集部５１０は、ユーザ行動履歴ＹＭＲに記録されたディスプレイパネル４０１での移動経路を複数種類のタバコパックＳＴＰ等の表示画像と関連させてデータ収集する。このため、一般ユーザが特定のタバコパックＳＴＰを選定するまでに、どのようなタバコパックＳＴＰを検討したかなども分析することが期待できる。
【０１８４】
さらに、上述のようにユーザ行動履歴ＹＭＲを記録する履歴記録部１３６は、複数のコンビニエンスストアＣＶＳに設置されている画像表示装置４００の各々に形成されており、そのユーザ行動履歴ＹＭＲをデータ収集する記録収集部５１０は、商品製造メーカＴＭＭのデータ処理装置５００に形成されている。
【０１８５】
このため、ユーザ行動履歴ＹＭＲが発生するごとに通信ネットワークＣＩＮでリアルタイムに通信する必要がないので、通信ネットワークＣＩＮの輻輳を防止することができ、商品製造メーカＴＭＭの一個のデータ処理装置５００が、複数のコンビニエンスストアＣＶＳから多数のユーザ行動履歴ＹＭＲを効率的にデータ収集することができる。
【０１８６】
また、決済制御部１１１は、ユーザ携帯端末１００に形成されていて確定されたタバコパックＳＴＰ等の売買決済処理を実行する。このため、ユーザ携帯端末１００の既存のクレジットカード機能などで売買決済処理を実行することができ、タバコパックＳＴＰの選定から決済までを、一般ユーザがユーザ携帯端末１００で完了することができる。
【０１８７】
従って、一般ユーザは他人に気兼ねなく所望のタバコパックＳＴＰを選定して購入することができる。しかも、コンビニエンスストアＣＶＳの店舗作業員は、決済が完了したタバコパックＳＴＰを一般ユーザに手渡すだけでよく、レジ店員スペースＳＲＳの混雑などを解消することができる。
【０１８８】
さらに、ユーザ携帯端末１００は、売買決済処理が完了したタバコパックＳＴＰ等の販売商品情報を販売処理装置２００まで送信し、販売処理装置２００は、売買決済処理が完了したタバコパックＳＴＰ等の販売商品情報をユーザ携帯端末１００から受信して店舗作業員に報知出力する。
【０１８９】
このため、店舗作業員は販売処理装置２００で作業しながら、一般ユーザが購入を完了したタバコパックＳＴＰを間違いなく迅速に確認することができ、そのタバコパックＳＴＰを一般ユーザに手渡すことができる。
【０１９０】
さらに、ユーザ携帯端末１００は、上下左右のユーザ入力操作を受け付ける縦横操作部１２１と、縦横操作部１２１のユーザ入力操作に対応して画像表示されているタバコパックＳＴＰ等の選定部位を上下左右に移動させる選定移動信号ＳＭＳをディスプレイパネル４０１に無線送信する選定送信部１１３と、選定されているタバコパックＳＴＰ等を確定するユーザ入力操作を受け付ける確定操作部１２２と、確定操作部１２２のユーザ入力操作に対応して選定されているタバコパックＳＴＰ等を確定する商品確定信号ＴＤＳをディスプレイパネル４０１に無線送信する確定送信部１１４とを有する。
【０１９１】
そこで、画像表示装置４００の商品表示部４１０は、複数種類のタバコパックＳＴＰ等を上下左右に配列させてディスプレイパネル４０１に画像表示させ、商品選定部４２０は、ユーザ携帯端末１００から無線受信する選定移動信号ＳＭＳによりディスプレイパネル４０１に画像表示されているタバコパックＳＴＰ等を選定し、商品確定部４３０は、ユーザ携帯端末１００から無線受信する商品確定信号ＴＤＳによりディスプレイパネル４０１で選定されているタバコパックＳＴＰ等を確定する。
【０１９２】
上述の縦横操作部１２１と確定操作部１２２とは、一般的なユーザ携帯端末１００には標準装備されており、選定送信部１１３と確定送信部１１４とは、タバコパックＳＴＰの商品製造メーカＴＭＭから配布されるアプリケーションプログラムで実現される。
【０１９３】
このため、一般的なユーザ携帯端末１００で、専用の画像表示装置４００に画像表示されているタバコパックＳＴＰ等の選定部位を上下左右に移動させることができ、選定されているタバコパックＳＴＰ等を確定することができる。
【０１９４】
特に、ユーザ携帯端末１００と画像表示装置４００とは赤外線通信で上述のような各種通信を実行する。このため、電波法などを配慮する必要がなく、簡単かつ確実に通信を実行することができる。
【０１９５】
また、収容記憶部３１０は、店頭収容ラック３００の複数種類のタバコパックＳＴＰ等と複数の商品収容位置ＰＫＳとの収容対応関係ＫＣＲを記憶し、商品表示部４１０は、記憶されている収容対応関係ＫＣＲにより複数種類のタバコパックＳＴＰ等のタバコ銘柄画像ＴＢＰを商品収容位置ＰＫＳに対応してディスプレイパネル４０１に画像表示させる。
【０１９６】
このため、一般ユーザは実際に店頭収容ラック３００に収容されているタバコパックＳＴＰを意識しながら、所望のタバコパックＳＴＰを選定して確定することができ、店頭収容ラック３００に収容されていないタバコパックＳＴＰを無為に探し回るようなことがない。
【０１９７】
しかも、本実施の形態のデータ処理システム１０００では、一般ユーザが購入したタバコパックＳＴＰを、一個の画像表示装置４００の一つの表示画像で一般ユーザと店舗作業員とが確認することができる。このため、一般ユーザと店舗作業員とに錯誤が発生することがない。
【０１９８】
さらに、図４に示すように、画像表示装置４００は、例えば、レジ店員スペースＳＲＳの後部上方に天井面などから懸架される。このため、一般ユーザと店舗作業員との両方が良好に視認することができ、レジ店員スペースＳＲＳのデッドスペースを有効利用することができる。
【０１９９】
しかも、店頭収容ラック３００は、決済処理が完了されたタバコパックＳＴＰの商品収容位置ＰＫＳを発光素子３１２の点滅で報知出力する。そこで、店舗作業員は販売処理装置２００の位置から店頭収容ラック３００の位置に移動し、発光素子３１２が点滅している商品収容位置ＰＫＳからタバコパックＳＴＰを迅速かつ簡単に取得することができる。
【０２００】
従って、店舗作業員は販売処理装置２００を入力操作している状態でも、そのタバコパックＳＴＰが収容されている店頭収容ラック３００の商品収容位置ＰＫＳも即座に正確に発見することができる。
【０２０１】
このため、膨大な品種のタバコパックＳＴＰが巨大な店頭収容ラック３００の膨大な個数の商品収容位置ＰＫＳに収容されていても、一般ユーザが購入したタバコパックＳＴＰを店舗作業員が即座に発見して取得することができる。
【０２０２】
また、店頭収容ラック３００は、商品収容位置ＰＫＳに収容されているタバコパックＳＴＰなどの取得を検出し、報知出力している商品収容位置ＰＫＳからタバコパックＳＴＰなどが取得されたことが検出されると報知出力を停止する。このため、店舗作業員の入力操作などを必要とすることなく、商品収容位置ＰＫＳの報知出力が自動的に停止される。
【０２０３】
特に、前述のようなタバコパックＳＴＰなどの店頭在庫状況を検出する光学センサ３１３で、上述のようなタバコパックＳＴＰなどの取得も検出するので、その構造が簡単である。
【０２０４】
さらに、本実施の形態の店頭収容ラック３００は、複数の商品収容位置ＰＫＳごとに光学センサ３１３で店頭在庫状況を常時監視しており、店頭在庫無しが検出された商品収容位置ＰＫＳの発光素子３１２を赤色に点灯させる。
【０２０５】
このため、店舗作業員はタバコパックＳＴＰなどの欠品を確実に迅速に認識することができ、時間のあるときにタバコパックＳＴＰなどを商品収容位置ＰＫＳに補充することができる。
【０２０６】
しかも、上述のように欠品しているタバコパックＳＴＰが一般ユーザによりユーザ簡易購入されると、その商品収容位置ＰＫＳの発光素子３１２が赤色に点滅される。このため、一般ユーザが購入したタバコパックＳＴＰが欠品していること、そのタバコパックＳＴＰを即座に補充する必要があること、を店舗作業員が確実に認識することができる。
【０２０７】
なお、本発明は本実施の形態に限定されるものではなく、その要旨を逸脱しない範囲で各種の変形を許容する。例えば、上記形態では、商品表示部４１０と商品選定部４２０と商品確定部４３０と履歴記録部４４０とが画像表示装置４００に形成されており、収容記憶部３１０が店頭収容ラック３００に形成されていることを例示した。
【０２０８】
しかし、このような各部の一部ないし全部は、販売処理装置２００や店頭収容ラック３００や画像表示装置４００に各種に配分することができる。当然ながら、上述のような各部の一部ないし全部を、販売処理装置２００や店頭収容ラック３００とは別個のデータ処理装置が有してもよい(図示せず)。
【０２０９】
例えば、販売処理装置２００が売買決済処理に対応して生成する販売履歴データを取得する店舗サーバ装置をコンビニエンスストアＣＶＳの店舗バックヤードなどに設置しておき、その店舗サーバ装置が、上述した収容記憶部３１０や商品表示部４１０などの一部ないし全部を有してもよい。
【０２１０】
この場合、既存の店舗サーバ装置にソフトウェアのインストールで収容記憶部３１０や商品表示部４１０などの各部を実現することができ、画像表示装置４００は単純なディスプレイパネル４０１のみで実現するようなことができる(図示せず)。
【０２１１】
また、上記形態ではユーザ携帯端末１００に決済制御部１１１が形成されていて確定されたタバコパックＳＴＰ等の売買決済処理を実行することを例示した。しかし、ユーザ携帯端末１００の決済制御部１１１が、販売処理装置２００と無線通信して確定されたタバコパックＳＴＰ等の売買決済処理を実行させてもよい。
【０２１２】
さらに、決済制御部１１１が販売処理装置２００に形成されていてディスプレイパネル４０１で確定されたタバコパックＳＴＰ等の売買決済処理を実行してもよい(図示せず)。
【０２１３】
この場合、販売処理装置２００で完了された売買決済処理が、画像表示装置４００などの履歴記録部４４０にユーザ行動履歴ＹＭＲとして記録されることが好適である。なお、このような販売処理装置２００に形成されている商品報知部２３０が、確定されたタバコパックＳＴＰ等を店舗作業員に報知出力してもよい。
【０２１４】
さらに、商品確定部４３０がユーザ携帯端末１００のユーザ入力操作に対応してタバコパックＳＴＰ等の確定のキャンセルも受け付け、履歴記録部４４０が確定のキャンセルもユーザ行動履歴ＹＭＲに記録してもよい。この場合、一度は購入が確定されていながらキャンセルされたタバコ銘柄などをデータ収集して分析するようなことができる。
【０２１５】
また、上記形態のデータ処理システム１０００では、画像表示装置４００のディスプレイパネル４０１にタバコパックＳＴＰのタバコ銘柄画像ＴＢＰを商品収容位置ＰＫＳごとに表示出力することのみ例示した。
【０２１６】
しかし、上述のようなデータ処理システム(図示せず)が、複数種類のタバコパックＳＴＰの少なくとも一部とともに関連するタバコパックＳＴＰの宣伝画像データＣＶＤを記憶する宣伝記憶部と、確定されたタバコパックＳＴＰとともに記憶されている宣伝画像データＣＶＤを選出する宣伝選出部と、選出された宣伝画像データＣＶＤを確定されたタバコパックＳＴＰとともにディスプレイパネル４０１に表示出力させる宣伝表示部とを、さらに有してもよい。
【０２１７】
この場合、一般ユーザがタバコパックＳＴＰを音声入力により注文すると、図１９に示すように、それに対応して特定の宣伝画像データＣＶＤが画像表示装置４００のディスプレイパネル４０１に表示出力される。このため、単純に宣伝画像データＣＶＤを常時表示している場合に比較して、効果的に新製品の宣伝などを実行することができる。
【０２１８】
また、上記形態では商品収容位置ＰＫＳに収容されているタバコパックＳＴＰなどの取得を店頭収容ラック３００が検出して報知出力を自動的に停止することを例示した。しかし、店頭収容ラック３００からタバコパックＳＴＰなどを取得する店舗作業員が、手動操作で発光素子３１２の報知出力を停止してもよい(図示せず)。
【０２１９】
さらに、上記形態では狭小なサプライチェーン店舗としてコンビニエンスストアＣＶＳを例示した。しかし、このようなサプライチェーン店舗として、より狭小な駅舎売店などを想定することもできる(図示せず)。
【０２２０】
また、上記形態では店頭収容ラック３００や画像表示装置４００などの各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０２２１】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０２２２】
１００    ユーザ携帯端末
１１０    コンピュータユニット
１１１    決済制御部
１１２    決済送信部
１１３    選定送信部
１１４    確定送信部
１２０    キーボードデバイス
１２１    縦横操作部
１２２    確定操作部
１３１    ディスプレイデバイス
１３２    スピーカデバイス
１３３    マイクロフォン
１３４    電波通信ユニット
１３５    赤外線通信ユニット
１３６    履歴記録部
２００    販売処理装置
２１０    販売処理部
２２０    履歴送信部
２３０    商品報知部
３００    店頭収容ラック
３０１    マガジンユニット
３０２    トレーユニット
３０３    フレームユニット
３１０    収容記憶部
３１１    コンピュータユニット
３１２    発光素子
３１３    光学センサ
３１４    データ通信ユニット
３２０    収容報知部
４００    画像表示装置
４０１    ディスプレイパネル
４０２    コンピュータユニット
４０３    データ通信ユニット
４０４    赤外線通信ユニット
４１０    商品表示部
４２０    商品選定部
４３０    商品確定部
４４０    履歴記録部
５００    データ処理装置
５１０    記録収集部
６００    本部管理装置
６１０    履歴収集部
１０００    データ処理システム
ＣＩＮ    通信ネットワーク
ＣＶＤ    宣伝画像データ
ＣＶＨ    コンビニエンス本部
ＣＶＳ    コンビニエンスストア
ＫＣＲ    収容対応関係
ＰＫＳ    商品収容位置
ＳＢＰ    ブリックパック
ＳＭＳ    選定移動信号
ＳＲＤ    販売履歴データ
ＳＲＳ    レジ店員スペース
ＳＴＫ    タバコカートン
ＳＴＰ    タバコパック
ＴＢＤ    タバコ銘柄データ
ＴＢＰ    タバコ銘柄画像
ＴＤＳ    商品確定信号
ＴＩＤ    商品ＩＤデータ
ＴＭＭ    商品製造メーカ
ＴＳＴ    タバコ購入チケット
ＹＭＲ    ユーザ行動履歴
【図１】
2010170228.tif 000003
【図２】
2010170228.tif 000004
【図３】
2010170228.tif 000005
【図４】
2010170228.tif 000006
【図５】
2010170228.tif 000007
【図６】
2010170228.tif 000008
【図７】
2010170228.tif 000009
【図８】
2010170228.tif 000010
【図９】
2010170228.tif 000011
【図１０】
2010170228.tif 000012
【図１１】
2010170228.tif 000013
【図１２】
2010170228.tif 000014
【図１３】
2010170228.tif 000015
【図１４】
2010170228.tif 000016
【図１５】
2010170228.tif 000017
【図１６】
2010170228.tif 000018
【図１７】
2010170228.tif 000019
【図１８】
2010170228.tif 000020
【図１９】
2010170228.tif 000021